(57)【要約】【課題】ユーザに受信アンテナの取り付け具合を把握させ、テレビの返品を防止する。【解決手段】販売地域で受信可能な所定のチャンネルの周波数を記憶する周波数記憶手段８５と、周波数記憶手段８５に記憶された周波数と同じ周波数のテレビ放送信号を受信アンテナ２が受信したか否かを判断する受信判断手段８と、受信判断手段８が周波数記憶手段８５に記憶された周波数と同じ周波数のテレビ放送信号を受信アンテナ２が受信していないと判断した場合に受信アンテナ２が未装着又は正常に装着されていない旨を表示部４に表示する表示制御手段８と、を備えた。【選択図】図１
2006303826.tif 000002
【特許請求の範囲】
【請求項１】
テレビ放送信号を受信する受信アンテナと、複数の受信チャンネルポジション毎に受信帯域内の周波数をプリセットチャンネルとして割り当てることによりプリセットを行うプリセット手段と、前記受信アンテナにより受信したテレビ放送信号に基づく映像を表示する表示部と、電源から電力を取得するためのプラグと、このプラグを前記電源と接続した状態で起動のＯＮ／ＯＦＦを行うスイッチと、を備えるテレビジョン受像機において、
販売地域で受信可能な所定のチャンネルの周波数を記憶する周波数記憶手段と、
前記プリセット手段によりプリセットを行った時のプリセット情報を記憶するプリセット記憶手段と、
前記スイッチをＯＮにした時に、前記プリセット記憶手段に前記プリセット情報が記憶されているか否かを判断する記憶判断手段と、
前記記憶判断手段により前記プリセット記憶手段に前記プリセット情報が記憶されていると判断された場合に、前記プラグと前記電源の接続を遮断した時点から再接続した時点までの経過時間を算出する時間算出手段と、
前記記憶判断手段により前記プリセット記憶手段に前記プリセット情報が記憶されていないと判断された場合又は前記時間算出手段により算出された再接続までの経過時間が所定時間以上である場合に、前記周波数記憶手段に記憶された周波数と同じ周波数のテレビ放送信号を前記受信アンテナが受信したか否かを判断する受信判断手段と、
前記受信判断手段が前記周波数記憶手段に記憶された周波数と同じ周波数のテレビ放送信号を前記受信アンテナが受信していないと判断した場合に前記受信アンテナが未装着又は正常に装着されていない旨を前記表示部に表示する表示制御手段と、
前記時間算出手段により算出された再接続までの経過時間が所定時間未満である場合に、前記プリセット手段によるプリセットを阻止するプリセット阻止手段と、
を備えることを特徴とするテレビジョン受像機。
【請求項２】
テレビ放送信号を受信する受信アンテナと、複数の受信チャンネルポジション毎に受信帯域内の周波数をプリセットチャンネルとして割り当てることによりプリセットを行うプリセット手段と、電源から電力を取得するためのプラグと、このプラグを前記電源と接続した状態で起動のＯＮ／ＯＦＦを行うスイッチと、を備えるテレビジョン受像機において、
販売地域で受信可能な所定のチャンネルの周波数を記憶する周波数記憶手段と、
前記スイッチをＯＮにした時に、前記周波数記憶手段に記憶された周波数と同じ周波数のテレビ放送信号を前記受信アンテナが受信したか否かを判断する受信判断手段と、
前記受信判断手段が前記周波数記憶手段に記憶された周波数と同じ周波数のテレビ放送信号を前記受信アンテナが受信していないと判断した場合に前記受信アンテナが未装着又は正常に装着されていない旨をユーザに報知する報知手段と、
を備えることを特徴とするテレビジョン受像機。
【請求項３】
前記プリセット手段によりプリセットを行った時のプリセット情報を記憶するプリセット記憶手段と、
前記スイッチをＯＮにした時に、前記プリセット記憶手段に前記プリセット情報が記憶されているか否かを判断する記憶判断手段と、
前記記憶判断手段により前記プリセット記憶手段に前記プリセット情報が記憶されていると判断された場合に、前記プラグと前記電源の接続を遮断した時点から再接続した時点までの経過時間を算出する時間算出手段と、
前記時間算出手段により算出された再接続までの経過時間が所定時間未満である場合に、前記プリセット手段によるプリセットを阻止するプリセット阻止手段と、
を備えることを特徴とする請求項２に記載のテレビジョン受像機。
【発明の詳細な説明】
【技術分野】
【０００１】
本発明は、テレビジョン受像機に関する。
【背景技術】
【０００２】
テレビやテレビに接続されるチューナ内蔵のビデオテープレコーダを購入したユーザは、テレビのプラグを電源に接続してテレビに電力を供給し、テレビのスイッチをＯＮにすることによりテレビを起動させる。テレビの購入後における最初の起動時には、プリセットが行われていない。ここで、プリセットとは、複数の受信チャンネルポジション毎に受信帯域内の周波数をプリセットチャンネルとして割り当てることをいう。プリセットを行うためには、テレビ放送信号を受信するための受信アンテナを取り付ける必要があり、受信アンテナから受信したテレビ放送信号に基づいてプリセットが行われる。
【０００３】
また、ユーザによるプリセットの手間を省くため、受信アンテナを接続した状態において電源を接続することにより、自動的に電源をＯＮとして自動プリセット機能を働かせてプリセット動作を実行するとともに、プリセット完了後は電源を遮断する技術の提案がなされている（例えば、特許文献１参照。）。
【特許文献１】特開平８−２４２１４４号公報
【発明の開示】
【発明が解決しようとする課題】
【０００４】
ところで、受信アンテナが正確に取り付けられていなければテレビ放送信号を受信できないため、プリセットを行うことはできない。そのため、プリセットを行う際に、ユーザが受信アンテナの取り付けを忘れている場合や、ユーザが受信アンテナを正確に取り付けていない場合に、プリセットが行えないのはテレビが不良品だからであると勘違いして、何ら問題のないテレビが返品されてしまうという問題があった。
【０００５】
また、特許文献１においても、自動的にプリセットを行うことができるものの、受信アンテナの取り付けはユーザが行うものであるため、ユーザが受信アンテナを正確に取り付けていない場合には電源がＯＮとならず、上記問題を解決することはできなかった。
【０００６】
そこで、本発明は、上記課題を解決するためになされたものであり、ユーザが受信アンテナの取り付け具合を把握することができ、これにより返品を低減することができるテレビジョン受像機を提供することを目的とする。
【課題を解決するための手段】
【０００７】
以上の課題を解決するため、請求項１に記載の発明は、テレビ放送信号を受信する受信アンテナと、複数の受信チャンネルポジション毎に受信帯域内の周波数をプリセットチャンネルとして割り当てることによりプリセットを行うプリセット手段と、前記受信アンテナにより受信したテレビ放送信号に基づく映像を表示する表示部と、電源から電力を取得するためのプラグと、このプラグを前記電源と接続した状態で起動のＯＮ／ＯＦＦを行うスイッチと、を備えるテレビジョン受像機において、販売地域で受信可能な所定のチャンネルの周波数を記憶する周波数記憶手段と、前記プリセット手段によりプリセットを行った時のプリセット情報を記憶するプリセット記憶手段と、前記スイッチをＯＮにした時に、前記プリセット記憶手段に前記プリセット情報が記憶されているか否かを判断する記憶判断手段と、前記記憶判断手段により前記プリセット記憶手段に前記プリセット情報が記憶されていると判断された場合に、前記プラグと前記電源の接続を遮断した時点から再接続した時点までの経過時間を算出する時間算出手段と、前記記憶判断手段により前記プリセット記憶手段に前記プリセット情報が記憶されていないと判断された場合又は前記時間算出手段により算出された再接続までの経過時間が所定時間以上である場合に、前記周波
数記憶手段に記憶された周波数と同じ周波数のテレビ放送信号を前記受信アンテナが受信したか否かを判断する受信判断手段と、前記受信判断手段が前記周波数記憶手段に記憶された周波数と同じ周波数のテレビ放送信号を前記受信アンテナが受信していないと判断した場合に前記受信アンテナが未装着又は正常に装着されていない旨を前記表示部に表示する表示制御手段と、前記時間算出手段により算出された再接続までの経過時間が所定時間未満である場合に、前記プリセット手段によるプリセットを阻止するプリセット阻止手段と、を備えることを特徴とする。
【０００８】
請求項２に記載の発明は、テレビ放送信号を受信する受信アンテナと、複数の受信チャンネルポジション毎に受信帯域内の周波数をプリセットチャンネルとして割り当てることによりプリセットを行うプリセット手段と、電源から電力を取得するためのプラグと、このプラグを前記電源と接続した状態で起動のＯＮ／ＯＦＦを行うスイッチと、を備えるテレビジョン受像機において、販売地域で受信可能な所定のチャンネルの周波数を記憶する周波数記憶手段と、前記スイッチをＯＮにした時に、前記周波数記憶手段に記憶された周波数と同じ周波数のテレビ放送信号を前記受信アンテナが受信したか否かを判断する受信判断手段と、前記受信判断手段が前記周波数記憶手段に記憶された周波数と同じ周波数のテレビ放送信号を前記受信アンテナが受信していないと判断した場合に前記受信アンテナが未装着又は正常に装着されていない旨をユーザに報知する報知手段と、を備えることを特徴とする。
【０００９】
請求項３に記載の発明は、請求項２に記載のテレビジョン受像機において、前記プリセット手段によりプリセットを行った時のプリセット情報を記憶するプリセット記憶手段と、前記スイッチをＯＮにした時に、前記プリセット記憶手段に前記プリセット情報が記憶されているか否かを判断する記憶判断手段と、前記記憶判断手段により前記プリセット記憶手段に前記プリセット情報が記憶されていると判断された場合に、前記プラグと前記電源の接続を遮断した時点から再接続した時点までの経過時間を算出する時間算出手段と、前記時間算出手段により算出された再接続までの経過時間が所定時間未満である場合に、前記プリセット手段によるプリセットを阻止するプリセット阻止手段と、を備えることを特徴とする。
【発明の効果】
【００１０】
請求項１に記載の発明によれば、ユーザがプラグを電源に接続すると、テレビジョン受像機には電源から電力が供給される。続いて、ユーザがプラグを電源に接続した状態でスイッチをＯＮにすると、テレビジョン受像機は起動し、受信アンテナによるテレビ放送信号の受信、プリセット手段によるプリセット、表示部による表示等が可能な状態となる。
【００１１】
そして、スイッチをＯＮにした時に、記憶判断手段はプリセット記憶手段にプリセット情報が記憶されているか否かを判断する。この記憶判断手段が、プリセット記憶手段にプリセット情報が記憶されていると判断した場合には、時間算出手段は、プラグと電源の接続を遮断した時点から再接続した時点までの経過時間を算出する。
【００１２】
記憶判断手段が、プリセット記憶手段にプリセット情報が記憶されていないと判断した場合又は時間算出手段により算出された再接続までの経過時間が所定時間以上である場合には、受信判断手段は、周波数記憶手段に記憶された周波数と同じ周波数のテレビ放送信号を受信アンテナが受信したか否かを判断する。
【００１３】
そして、この受信判断手段が周波数記憶手段に記憶された周波数と同じ周波数のテレビ放送信号を受信アンテナが受信していないと判断した場合には、表示制御手段は、受信アンテナが未装着又は正常に装着されていない旨を表示部に表示する。
【００１４】
これにより、ユーザは、プリセットが行われない原因が受信アンテナの取り付け状態にあることを表示部を介して知ることができ、直ちに受信アンテナの取り付けを修正することができる。
【００１５】
また、時間算出手段により算出された再接続までの経過時間が所定時間未満である場合
には、プリセット阻止手段は、プリセット手段によるプリセットを阻止する。
【００１６】
これにより、部屋の模様替え等におけるテレビジョン受像機の短時間の移動でプラグと電源の接続を遮断した場合であってもスイッチをＯＮにした時にプリセットを開始することが無く、再度プリセットを行うという煩わしさを解消することができる。
【００１７】
請求項２に記載の発明によれば、ユーザがプラグを電源に接続すると、テレビジョン受像機には電源から電力が供給される。続いて、ユーザがプラグを電源に接続した状態でスイッチをＯＮにすると、テレビジョン受像機は起動し、受信アンテナによるテレビ放送信号の受信、プリセット手段によるプリセット等が可能な状態となる。
【００１８】
そして、受信判断手段は、周波数記憶手段に記憶された周波数と同じ周波数のテレビ放送信号を受信アンテナが受信したか否かを判断し、受信判断手段が周波数記憶手段に記憶された周波数と同じ周波数のテレビ放送信号を受信アンテナが受信していないと判断した場合には、報知手段は、受信アンテナが未装着又は正常に装着されていない旨をユーザに報知する。
【００１９】
これにより、ユーザは、プリセットが行われない原因が受信アンテナの取り付け状態にあることを報知手段を介して知ることができ、直ちに受信アンテナの取り付けを修正することができる。
【００２０】
請求項３に記載の発明によれば、記憶判断手段は、スイッチをＯＮにした時に、プリセット記憶手段にプリセット情報が記憶されているか否かを判断し、この記憶判断手段が、プリセット記憶手段にプリセット情報が記憶されていると判断した場合には、時間算出手段は、プラグと電源の接続を遮断した時点から再接続した時点までの経過時間を算出する。そして、時間算出手段により算出された再接続までの経過時間が所定時間未満である場合に、プリセット阻止手段は、プリセット手段によるプリセットを阻止する。
【００２１】
これにより、部屋の模様替え等におけるテレビジョン受像機の短時間の移動でプラグと電源の接続を遮断した場合であってもスイッチをＯＮにした時にプリセットを開始することが無く、再度プリセットを行うという煩わしさを解消することができる。
【発明を実施するための最良の形態】
【００２２】
以下、図面を参照して、本発明に係るテレビジョン受像機の最良の形態について詳細に説明する。
＜テレビジョン受像機の構成＞
図１に示すように、テレビジョン受像機１（以下、テレビ１という。）は、テレビ放送信号を受信する受信アンテナ２を介して所望の周波数の放送信号を受信するチューナ３と、受信アンテナ２により受信したテレビ放送信号に基づく映像を表示する表示部４と、電源５からテレビ１を起動させる電力を取得するためのプラグ６と、このプラグ６を電源５と接続した状態でテレビ１の起動のＯＮ／ＯＦＦを行うスイッチ７と、プラグ６を介して得た電源５から電力で駆動し各部の制御を行う制御部８と、常時一定周波数のクロック信号を出力する発振回路部９と、発振回路部９から入力される信号を計数して現在時刻を計時し、時間算出した現在時刻データを制御部８に出力する計時回路部１０と、テレビ１を操作する本体キー１１と、テレビ１を遠隔操作するためのリモコン１２に設けられたリモコンキー１３の操作により発信された指示信号を受信する受信部１４と、を備えている。
【００２３】
チューナ３は、制御部８からの制御信号（周波数データ）に基づき、受信すべき周波数のテレビ放送信号を受信するように構成されており、チャンネル毎に受信すべきテレビ放送信号の周波数を変えることによりプリセットを行うことができる。
【００２４】
表示部４は、受信アンテナ２が未装着又は正常に装着されていない旨をユーザに報知する報知手段として機能するものであり、ＣＲＴや液晶から構成されている。表示部４は、制御部８に接続され、制御部８からの制御信号によりテレビ放送信号に基づく映像を表示
するほか、制御部８のＲＯＭ８３内に記憶された特定チャンネルのテレビ放送信号を受信アンテナ２が受信していない場合に、受信アンテナ２が未装着である旨又は受信アンテナ２が正常に取り付けられていない旨を表示することができるようになっている。
【００２５】
電源５は、例えば、一般家庭の電源等であり、プラグ６を差し込めるコンセントが設けられている。
【００２６】
プラグ６は、電源５に接続することができるように構成されており、プラグ６を電源９に差し込むことにより、テレビ１を起動させることができるようになる。
【００２７】
スイッチ７は、例えば、テレビ１の表示部４の下方に設けられた主電源のＯＮ／ＯＦＦを行うスイッチであり、プラグ６を電源５に接続した状態で押下することによりスイッチ７はＯＮとなって各部を起動させ、再度押下することによりスイッチ７はＯＦＦとなって各部の起動を停止させる。
【００２８】
制御部８は、各種の演算処理等を行うＣＰＵ８１と、このＣＰＵ８１のワークエリア等として使用されるＲＡＭ８２と、ＣＰＵ８１が各部を制御するのに必要なシステムプログラムやデータ等が記憶されたＲＯＭ８３と、プリセットを行った時のプリセット情報が記憶され、当該プリセット情報の書き換えが可能とされたプリセット記憶手段としてのＥＥＰＲＯＭ８４と、を備えている。
【００２９】
ＣＰＵ８１は、ＲＯＭ８３内に格納されたプログラムを読み出してＲＡＭ８２に展開し、当該プログラムに基づいて各部への指示やデータの送受信に関する制御を行う。
【００３０】
図２に示すように、ＲＯＭ８３には、プリセット等を行うにあたって必要なデータが記憶されるデータエリア８５と、プリセットや表示部４への表示制御等を行うプログラムが記憶されたプログラムエリア８６が形成されている。
【００３１】
データエリア８５には、テレビ１の販売地域で受信可能な所定のチャンネル（具体的には、全国的に共通のチャンネルが好ましい）の周波数データ８５ａが記憶されている。すなわち、ＲＯＭ８３に形成されるデータエリア８５は、周波数記憶手段として機能する。
【００３２】
また、データエリア８５には、受信アンテナ２が未装着である旨又は受信アンテナ２が正常に装着されていない旨を表示部４に表示させるための文字情報データ８５ｂが記憶されている。
【００３３】
また、データエリア８５には、プラグ６と電源５の接続を切断した後、再接続した際にプリセットを再度行うか否かの基準となる基準時間データ８５ｃが記憶されている。すなわち、再接続した際に、直近の接続切断からの経過時間が基準時間データ８５ｃ以上となっていれば、制御部８は受信判断プログラム８６ｄを起動させ、直近の接続切断からの経過時間が基準時間データ８５ｃ未満となっていれば、制御部８はプリセット阻止プログラム８６ｆを起動させる。
【００３４】
プログラムエリア８６には、複数の受信チャンネルポジション毎に受信帯域内の周波数をプリセットチャンネルとして割り当てることによりプリセットを行う機能を実現させるプリセットプログラム８６ａが格納されている。すなわち、ＣＰＵ８１がプリセットプログラム８６ａを実行することにより、制御部８は、プリセット手段として機能する。
【００３５】
また、プログラムエリア８６には、スイッチ７をＯＮにした時に、ＥＥＰＲＯＭ８４にプリセット情報が記憶されているか否かを判断する記憶判断プログラム８６ｂが記憶されている。すなわち、ＣＰＵ８１が記憶判断プログラム８６ｂを実行することにより、制御部８は、記憶判断手段として機能する。
【００３６】
また、プログラムエリア８６には、ＣＰＵ８１が記憶判断プログラム８６ｂを実行することにより、ＥＥＰＲＯＭ８４にプリセット情報が記憶されていると判断された場合に、プラグ６と電源５の接続を遮断した時点から再接続した時点までの経過時間を算出する時間算出プログラム８６ｃが記憶されている。なお、プラグ６と電源５の接続及び遮断時刻はＥＥＰＲＯＭ８４にリアルタイムで記憶される。これにより、時間算出プログラム８６
ｃは、発振回路部９及び計時回路部１０により取得した現在の時刻から直近の遮断時刻を減算することにより経過時間を算出することができる。すなわち、ＣＰＵ８１が時間算出プログラム８６ｃを実行することにより、制御部８は、時間算出手段として機能する。
【００３７】
また、プログラムエリア８６には、スイッチ７をＯＮにした時に、ＣＰＵ８１が記憶判断プログラム８６ｂを実行することにより、ＥＥＰＲＯＭ８４にプリセット情報が記憶されていないと判断された場合又は時間算出プログラム８６ｃにより算出された再接続までの経過時間が所定時間以上である場合に、データエリア８５に記憶された周波数データ８５ａと同じ周波数のテレビ放送信号を受信アンテナ２が受信したか否かを判断する受信判断プログラム８６ｄが記憶されている。すなわち、ＣＰＵ８１が受信判断プログラム８６ｄを実行することにより、制御部８は、受信判断手段として機能する。
【００３８】
また、プログラムエリア８６には、ＣＰＵ８１が受信判断プログラム８６ｄを実行することにより、データエリア８５に記憶された周波数データ８５ａと同じ周波数のテレビ放送信号を受信アンテナ２が受信していないと判断した場合に受信アンテナ２が未装着又は正常に装着されていない旨を表示部４に表示する表示制御プログラム８６ｅが記憶されている。すなわち、ＣＰＵ８１が表示制御プログラム８６ｅを実行することにより、制御部８は、表示制御手段として機能する。
【００３９】
また、プログラムエリア８６には、時間算出プログラム８６ｃにより算出された再接続までの経過時間が基準時間データよりも短時間である場合に、ＣＰＵ８１がプリセットプログラム８６ａの実行によりプリセットを阻止するプリセット阻止プログラム８６ｆが記憶されている。すなわち、ＣＰＵ８１がプリセット阻止プログラム８６ｆを実行することにより、制御部８は、プリセット阻止手段として機能する。
【００４０】
ＥＥＰＲＯＭ８４には、プラグ６と電源５との接続を切断したときの時刻データやプラグ６と電源５を再接続したときの時刻データが記憶される。
【００４１】
また、ＥＥＰＲＯＭ８４には、プリセットを行った時のプリセット情報が記憶される。
【００４２】
本体キー１１は、制御部８に接続されており、本体キー１１からの操作入力に基づく操作信号が制御部８に送信されるようになっている。リモコンキー１３の操作入力によりリモコン１２から発信される操作信号は、テレビ１内に設けられた当該操作信号の受信部１４で受信され、この受信部１４から制御部８に送信されるようになっている。なお、リモコン１２からの操作信号は赤外光源等が用いられる。
＜テレビジョン受像機の動作＞
次に、テレビジョン受像機の起動時の処理動作について、図３のフローチャートを用いて説明する。
【００４３】
図３に示すように、ユーザは、受信アンテナ２を取り付けた後、テレビ１のプラグ６を電源５に接続すると、制御部８に電力が供給され（ステップＳ１）、続いてスイッチ７をＯＮにすると制御部８が起動する（ステップＳ２）。
【００４４】
制御部８が起動すると、ＣＰＵ８１は、記憶判断プログラム８６ｂを実行することにより、ＥＥＰＲＯＭ８４にプリセット情報が記憶されているか否かを判断する（ステップＳ３）。ここで、ＣＰＵ８１がＥＥＰＲＯＭ８４にプリセット情報が記憶されていると判断した場合（ステップＳ３：ＹＥＳ）、ＣＰＵ８１は時間算出プログラム８６ｃを実行することにより、プラグ６と電源５の接続を遮断した直近の時間からステップＳ１により再接続した時間に到るまでの経過時間を算出する（ステップＳ４）。
【００４５】
そして、経過時間の算出後、ＣＰＵ８１は、算出された再接続までの経過時間が基準時間データ８５ｃ以上であると判断した場合（ステップＳ５：ＹＥＳ）、ＣＰＵ８１は、受信判断プログラム８６ｄを実行することにより、データエリア８５に記憶された周波数データ８５ａと同じ周波数のテレビ放送信号を受信アンテナ２が受信したか否かを判断する
（ステップＳ６）。一方、ＣＰＵ８１が、算出された再接続までの経過時間が基準時間データ８５ｃ未満であると判断した場合（ステップＳ５：ＮＯ）、ＣＰＵ８１は、プリセット阻止プログラム８６ｆを実行することにより、プリセットを行わずに全ての処理を終了させる（ＥＮＤ）。なお、ステップＳ３において、ＣＰＵ８１がＥＥＰＲＯＭ８４にプリセット情報が記憶されていないと判断した場合（ステップＳ３：ＮＯ）にもステップＳ６の処理が行われる。
【００４６】
ステップＳ６において、ＣＰＵ８１が、データエリア８５に記憶された周波数データ８５ａと同じ周波数のテレビ放送信号を受信アンテナ２が受信したと判断した場合（ステップＳ６：ＹＥＳ）、ＣＰＵ８１は、プリセットプログラム８６ａを実行することによりプリセットを行い（ステップＳ８）、プリセットの内容をプリセット情報としてＥＥＰＲＯＭ８４に記憶させ（ステップＳ９）、これをもって全ての処理を終了させる（ＥＮＤ）。
【００４７】
一方、ＣＰＵ８１が、データエリア８５に記憶された周波数データ８５ａと同じ周波数のテレビ放送信号を受信アンテナ２が受信していないと判断した場合（ステップＳ６：ＮＯ）、ＣＰＵ８１は、表示制御プログラム８６ｅを実行することにより、受信アンテナ２が未装着又は正常に取り付けられていない旨を表示部４に表示させ（ステップＳ７）、再度ステップＳ６の判断処理に戻る。
＜実施形態の作用効果＞
実施形態のテレビ１によれば、ユーザがプラグ６を電源５に接続すると、テレビ１には電源５から電力が供給される。続いて、ユーザがプラグ６を電源５に接続した状態でスイッチ７をＯＮにすると、テレビ１は起動し、受信アンテナ２によるテレビ放送信号の受信、制御部８によるプリセット、表示部４による表示等が可能な状態となる。
【００４８】
そして、スイッチ７をＯＮにした時に、ＣＰＵ８１は記憶判断プログラム８６ｂを実行することにより、ＥＥＰＲＯＭ８４にプリセット情報が記憶されているか否かを判断する。ＣＰＵ８１が記憶判断プログラム８６ｂを実行することにより、ＥＥＰＲＯＭ８４にプリセット情報が記憶されていると判断した場合には、ＣＰＵ８１は時間算出プログラム８６ｃを実行することにより、プラグ６と電源５の接続を遮断した時点から再接続した時点までの経過時間を算出する。
【００４９】
一方、ＣＰＵ８１が記憶判断プログラム８６ｂを実行することにより、ＥＥＰＲＯＭ８４にプリセット情報が記憶されていないと判断した場合又は時間算出プログラム８６ｃにより算出された再接続までの経過時間が所定時間以上である場合には、ＣＰＵ８１は受信判断プログラム８６ｄを実行することにより、データエリア８５に記憶された周波数データ８５ａと同じ周波数のテレビ放送信号を受信アンテナ２が受信したか否かを判断する。
【００５０】
そして、ＣＰＵ８１が受信判断プログラム８６ｄを実行することにより、データエリア８５に記憶された周波数データと同じ周波数のテレビ放送信号を受信アンテナ２が受信していないと判断した場合には、ＣＰＵ８１は表示制御プログラム８６ｅを実行することにより、受信アンテナ２が未装着又は正常に装着されていない旨を表示部４に表示する。
【００５１】
これにより、ユーザは、プリセットが行われない原因が受信アンテナ２の取り付け状態にあることを表示部４を介して知ることができ、直ちに受信アンテナ２の取り付けを修正することができる。
【００５２】
また、算出された再接続までの経過時間が所定時間未満である場合には、ＣＰＵ８１はプリセット阻止プログラム８６ｆを実行することにより、プリセットを阻止する。
【００５３】
これにより、部屋の模様替え等におけるテレビ１の短時間の移動でプラグ６と電源５の接続を遮断した場合であってもスイッチ７をＯＮにした際にプリセットを開始することが無く、再度プリセットを行うという煩わしさを解消することができる。
【００５４】
なお、本発明は、上記実施形態に限定されるものではない。例えば、報知手段は、受信
アンテナ２が未装着又は正常に装着されていない旨を表示部４に表示させるものに限らず、ブザーからの警報音やライトの発光により知らせるようにしてもよい。また、データエリア８５に記憶される販売地域で受信可能な所定のチャンネルの周波数データ８５ａは一つに限らず、複数記憶させてユーザに選択させるようにしてもよい。また、テレビ１にリセットキーを設け、リセットキーを押すと、電源を遮断してから再接続までの経過時間に関係なくプリセットを行うようにしてもよい。また、表示部４には、受信アンテナ２が未装着又は正常に装着されていない旨を表示することに加え、その対処方法、正しい取付方法、不明なときのコールセンターの電話番号を表示してもよい。
【図面の簡単な説明】
【００５５】
【図１】テレビの構成ブロック図である。
【図２】ＲＯＭの構成ブロック図である。
【図３】テレビを起動させた際の動作を説明するフローチャートである。
【符号の説明】
【００５６】
１  テレビ（テレビジョン受像機）
２  受信アンテナ
４  表示部
５  電源
６  プラグ
７  スイッチ
８  制御部（プリセット手段、記憶判断手段、計時手段、受信判断手段、表示制御手段、プリセット阻止手段）
８３  ＲＯＭ
８４  ＥＥＰＲＯＭ（プリセット記憶手段）
８５  データエリア（周波数記憶手段）
【図１】
2006303826.tif 000003
【図２】
2006303826.tif 000004
【図３】
2006303826.tif 000005